(57)【要約】【課題】  空気の注入及び排出が容易であり、空気注入後に直ちに栓をする必要がない空気栓を備えるボール玩具を提供する。【解決手段】  ボール玩具は、所定の位置に空気孔を有し、内部に空気を注入することで球体となるボール本体と、当該空気孔に着脱自在であって、空気孔に装着したまま空気注入が可能な中空棒状の空気栓3とを備え、この空気栓3は、外方端部に拡大部分を有するパイプ状の空気注入管32と、当該空気注入管32の内方端部に装着されて内部に空間を有する空気流入部材31と、当該空気流入部材31の空間に挿入されて空気圧により、空気注入管32の先端に吸着可能な可動状態に配置された球体弁33とを備えるものである。【選択図】      図３
2008272028.tif 000002
【特許請求の範囲】
【請求項１】
所定の位置に空気孔を有し、内部に空気を注入することで球体となるボール本体と、
当該空気孔に着脱自在であって、空気孔に装着したまま空気注入が可能な中空棒状の空気栓とを備えることを特徴とするボール玩具。
【請求項２】
前記中空棒状の空気栓は、外方端部に拡大部分を有するパイプ状の空気注入管と、当該空気注入管の内方端部に装着されて内部に空間を有する空気流入部材と、当該空気流入部材の空間に挿入されて空気圧により、前記空気注入管の先端に吸着可能な可動状態に配置された球体弁とを備えることを特徴とする請求項１に記載のボール玩具。
【請求項３】
前記空気注入管は、多段の円錐台形状とする拡大部分の外周縁に前記ボール本体の空気孔の内縁と係止する凸状線を備えることを特徴とする請求項２に記載のボール玩具。
【請求項４】
前記空気注入管は、パイプ状で内方端部に半球面形状の切欠き部を有し、外方端部の拡大部に空気注入口を有し、更に、当該空気注入口を塞ぐ蓋部を備えることを特徴とする請求項２又は請求項３に記載のボール玩具。
【請求項５】
前記空気流入部材は、連結部と十字壁部を有し、
当該連結部は、略円筒形状であって前記空気注入管の端部を挿入固定する注入管固定部と前記球体弁が配置される空間である可動空間を形成する空間形成部とを有し、前記十字壁部は連結部の内方端部に位置し、十字状に壁が形成されて前記連結部と十字壁部との接続部に空気流路を形成することを特徴とする請求項２乃至請求項４のいずれかに記載のボール玩具。
【発明の詳細な説明】
【技術分野】
【０００１】
本発明は、空気を入れて膨らませるボール玩具に関する。
【背景技術】
【０００２】
ビーチボールのように内部に空気を注入して膨らまして用いる空気注入型のボール玩具が従来より多く発売され又提案がなされている。この空気注入型のボール玩具の一般的な空気注入部としては、ゴム等で形成された筒状の空気注入口のボール内方端部に筒の開口を塞ぐ弁を形成したものであり、空気注入口から空気を注入する弁が注入された空気によってボールの内方に向かって開き、空気を注入していない場合は内圧により弁が空気注入口を塞いで空気の漏れを防ぐと共に、空気注入口に外部から栓をすることで空気の漏れを防ぐといったものである。
【０００３】
例えば、特開２０００−４２１４２号公報（特許文献１）では、栓の周縁に歯形の突起を設け、空気流入口の内縁にも外部蓋の突起と係止する歯形の突起を形成し、空気流入口に栓を挿嵌することにより空気流入口と栓が強固に固定される提案がなされている。
【特許文献１】特開２０００−４２１４２号公報
【発明の開示】
【発明が解決しようとする課題】
【０００４】
従来の空気注入部は、ボールを形成するときに同時に空気注入部も形成する必要がありボール形成が困難であった。又、弁を空気圧で開ける必要があるため、空気注入時に大きな空気圧が必要となり空気注入が困難であると共に、空気の排出時には弁を外す又はずらす必要があるため空気の排出が困難であった。
【０００５】
又、空気の注入及び排出を簡単にするため、ボールに小孔を形成してこの小孔にストロー等を差し込んで空気を注入し、空気の注入が完了したらストローを外して栓をするという方法もあるが、この場合はストローを外して栓をするまでの間に空気が抜けてしまうといった問題点があった。
【０００６】
本発明は、このような従来技術の問題点に鑑みてなされたものであり、ボール玩具の整形製造が容易であって、且つ、空気の注入及び排出が容易であり、空気注入後に容易に栓をすることのできる空気栓を備えるボール玩具を提供することを目的としている。
【課題を解決するための手段】
【０００７】
本発明のボール玩具(1)は、所定の位置に空気孔(21)を有して、内部に空気を注入することで球体となるボール本体(2)と、当該空気孔(21)に着脱自在であって、空気孔(21)に装着したまま空気注入が可能な中空棒状の空気栓(3)とを備えるものである。
【０００８】
又、前記空気栓(3)は、外方端部に拡大部分を有するパイプ状の空気注入管(32)と、当該空気注入管(32)の内方端部に装着されて内部に空間を有する空気流入部材(31)と、当該空気流入部材(31)の空間に挿入されて空気圧により、前記空気注入管(32)の先端に吸着可能な可動状態に配置された球体弁(33)とを備えるものである。
【０００９】
更に、前記空気流入部材(31)は、連結部(41)と十字壁部(45)を有し、当該連結部(41)は、略円筒形状であって前記空気注入管(32)の端部を挿入固定する注入管固定部(42)と前記球体弁(33)が配置される空間である可動空間(48)を形成する空間形成部(44)とを有し、前記十字壁部(45)は連結部(41)の内方端部に位置し、十字状に壁が形成されて前記連結部(41)と十字壁部(45)との接続部に空気流路(46)を形成するものである。
【００１０】
又、前記空気注入管(32)は、パイプ状で内方端部に半球面形状の切欠き部(54)を有し、外方端部の拡大部に空気注入口(51)を有し、更に、当該空気注入口(51)を塞ぐ蓋部(52)を備えるものである。
【００１１】
そして、前記空気注入管(32)の空気注入口(51)は多段の円錐台形状であって、外周縁には前記ボール本体(2)の空気孔(21)の内縁と係止する凸状線(53)を備えるものである。
【発明の効果】
【００１２】
本発明によれば、ボール玩具の整形製造が容易であって、且つ、空気の注入及び排出が容易であり、空気注入後に容易に栓をすることのできる空気栓を備えるボール玩具を提供することができる。
【発明を実施するための最良の形態】
【００１３】
本発明を実施するための最良の形態のボール玩具1は、所定の位置に空気孔21を有して、内部に空気を注入することで球体となるボール本体2と、当該空気孔21に着脱自在であって、空気孔21に装着したまま空気注入が可能な中空棒状の空気栓3とを備えるものである。
【００１４】
この空気栓3は、外方端部に拡大部分を有するパイプ状の空気注入管32と、当該空気注入管32のボール玩具1の内側方向である内方端部に装着されて内部に空間を有する空気流入部材31と、当該空気流入部材31の空間に挿入されて空気圧により、空気注入管32の先端に吸着可能な可動状態に配置された球体弁33とを備えるものである。
【００１５】
又、空気流入部材31は、連結部41と十字壁部45を有し、当該連結部41は、略円筒形状であって空気注入管32の端部を挿入固定する注入管固定部42と球体弁33が配置される空間である可動空間48を形成する空間形成部44とを有し、十字壁部45は連結部41の内方端部に位置し、十字状に壁が形成されて連結部41と十字壁部45との接続部に空気流路46を形成するものである。
【００１６】
そして、空気注入管32は、パイプ状で内方端部に半球面形状の切欠き部54を有し、外方端部の拡大部に空気注入口51を有し、更に、当該空気注入口51を塞ぐ蓋部52を備えるものであり、この空気注入管32の空気注入口51は多段の円錐台形状であって、外周縁にはボール本体2の空気孔21の内縁と係止する凸状線53を備えるものである。
【実施例】
【００１７】
以下、本発明の実施例を図に基づいて詳説する。図１に示すように、本発明のボール玩具1は、塩化ビニル樹脂等の伸縮性を有する部材で形成され所定の位置に空気孔21を有するボール本体2と、この空気孔21に着脱自在の空気栓3とを備えるものである。
【００１８】
空気栓3は、空気孔21からの空気の漏れを防ぐと共に空気を注入することも可能なものであり、図２に示すように、ボール玩具1の外側方向である外方端部に拡大部分を有するパイプ状の空気注入管32と、空気注入管32の内方端部に装着されて内部に空間を有する空気流入部材31と、空気流入部材31の空間に挿入されて空気圧により、空気注入管32の先端に吸着可能な可動状態に配置された図３に示す球体弁33とを備えるものである。
【００１９】
この空気注入管32は、図２及び図３に示したように、パイプ状で内方端部に半球面形状の切欠き部54を有し、外方端部の拡大部に空気注入口51を有し、更に、当該空気注入口51を塞ぐ蓋部52を備え、外周縁の所定の位置には後述する空気流入部31の固定凹部43と係止する固定突起55を有するものである。又、空気注入管32の空気注入口51は多段の円錐台形状であって、外周縁にはボール本体2の空気孔21の内縁と係止する凸状線53を備えるものである。
【００２０】
又、空気流入部材31は、連結部41と十字壁部45を有し、この連結部41は略円筒形状であって空気注入管32の端部を挿入固定する注入管固定部42と球体弁33が配置される可動空間48を形成する空間形成部44とを有するものである。
【００２１】
この注入管固定部42は、円筒形状であって内径を空気注入管32の外径と略同一の大きさとし、内面の所定の位置に空気注入管32の固定突起55と係止する固定凹部43を備え、形成部44と一体成形されたものである。又、空間形成部44は、注入管固定部42よりも小さな内径とする円筒形状であって内方端部を開口とし、注入管固定部42の内面との間に段差が形成されたものである。
【００２２】
又、十字壁部45は連結部41の内方端部に位置し、十字状に壁が形成されて連結部41と十字壁部45との接続部に空気流路46を形成するものである。この空気流路46は、十字壁部45の各壁の交差する交差部の外方端部と空間形成部44の内方端部の開口との接続部に形成される間隙からなるものである。
【００２３】
そして、空気注入管32を空気流入部31の注入管固定部42に嵌挿すると、空気注入管32の内方端部が注入管固定部42と空間形成部44との間の段差に係止すると共に、固定凹部43と固定突起55が噛合するため空気流入部31と注入管固定部42が空密で強固に固定されるものである。又、空気流入部31の外周縁は空気注入管32の外周縁よりも大きな径に形成されているため、空気流入部31の外周縁と空気注入管32の外周縁との接続部近傍に段差が形成されるものである。
【００２４】
球体弁33は、空気によって可動状態となる軽い樹脂等によって形成されるものであり、空間形成部44と空気注入管32の内方端部に形成された切欠き部54とに囲まれた可動空間48に位置しており、空気圧によって空気注入管32側或いは十字壁部45側に稼働するものである。
【００２５】
そして、この空気栓3は、図５に示すように、空気注入時には空気注入管32から注入された風圧によって球体弁33が可動空間48の内方端部に移動し、これによって空気注入管32から注入された空気は、球体弁33の周縁を流れ、空間形成部44の内方端部の開口と十字壁部45の外方端部との間で形成される空気流路46からボール本体2の内部に流入する。
【００２６】
又、空気注入を停止した場合には、図６に示すように、ボール本体2の内圧によって球体弁33が可動空間48の外方端部に移動して空気注入管32の内方端部の開口を塞ぐためボール本体2の内部から外部に空気が漏れることを防止する栓となり、空気漏れを防ぐことができる。
【００２７】
更に、蓋部52を空気注入部51の外方端部に嵌合して固定することにより、空気注入部51の外方端部から空気が漏れ出すことを防止することができ、球体弁33と蓋部52の両方で空気の漏れを防止できる。
【００２８】
次に、本実施例のボール玩具1の使用方法について述べる。ボール玩具1は、膨らんだ状態で遊戯するものであるため、空気を内部に注入する必要がある。空気を注入する場合には、まず、空気孔21に空気栓3の先端部である空気流入部31を挿入し、空気栓3の空気注入口51を口にくわえて息を吹き込む。この時、空気栓3を奥まで挿入した状態で息を吹き込むことも可能であるが、先端のみを挿入してストローの要領で注入した方が空気注入口51を加えやすいため、空気の注入が容易となる。
【００２９】
空気の注入が完了した場合、空気注入口51から口を離して空気栓3をそのまま根元まで押し込み、空気栓3の空気注入口51の外周縁をボール本体2の空気孔21の内縁とを係止させ、蓋部52を空気注入口51に挿嵌する。このように、空気注入口51の外周縁と空気孔21の内縁とを係止させることにより、空気孔21から空気が漏れ出すことを防止でき、更に、蓋部52で空気注入口51を蓋することにより一層空気漏れを防止できるものである。
【００３０】
一方、ボール本体2から空気を排出する場合には、空気栓3を空気孔21から外すことにより、空気孔21を塞ぐものがなくなるため容易に空気を排出できる。尚、空気を抜くときには、空気注入管32において空気注入口51は拡大部分となっているため、ボール本体2の空気孔21と係止している空気注入口51を外すのみでも、空気を排出することができるものである。
【００３１】
本実施例のボール玩具1によれば、ボール本体2の空気孔21に空気の注入が可能な空気栓3を挿嵌することにより、空気の漏れを防止できると共に空気の注入が容易となるものである。
【００３２】
又、空気栓3の内部に球体弁33を配置し、空気注入後には球体弁33がボール本体2の内圧により空気注入管32の内方端部を閉鎖するため、空気注入後に直ちに空気孔21を密閉するように栓をする必要がなく、容易に栓をすることができる。
【００３３】
更に、空気注入管32の空気注入口51を蓋部52により蓋をすることができるため、球体弁33が空気注入管32を栓すると共に、空気注入口51も蓋をすることとなるため、空気の漏れを防止することができる。
【００３４】
又、ボール本体2は空気孔21を備えるのみで良いため、空気栓を一体成形する必要が無く、ボール玩具1を容易に製造できるものである。
【図面の簡単な説明】
【００３５】
【図１】本発明に係るボール玩具の実施例を示す断面図。
【図２】本発明に係るボール玩具に使用する空気栓の一例を示す斜視図。
【図３】本発明に係るボール玩具に使用する空気栓の部分拡大図。
【図４】本発明に係るボール玩具に使用する空気栓の底面図。
【図５】本発明に係るボール玩具に使用する空気栓の空気注入時の状態を示す図。
【図６】本発明に係るボール玩具に使用する空気栓の空気遮断時の状態を示す図。
【符号の説明】
【００３６】
1  ボール玩具                          2  ボール本体
3  空気栓                              21  空気孔
31  空気流入部材                       32  空気注入管
33  球体弁                             41  連結部
42  注入管固定部                       43  固定凹部
44  空間形成部                         45  十字壁部
46  空気流路                           48  可動空間
51  空気注入部                         52  蓋部
53  凸状線                             54  切欠き部
55  固定突起
【図１】
2008272028.tif 000003
【図２】
2008272028.tif 000004
【図３】
2008272028.tif 000005
【図４】
2008272028.tif 000006
【図５】
2008272028.tif 000007
【図６】
2008272028.tif 000008